(57)【特許請求の範囲】
【請求項１】
搬送ローラを備えた上下の駆動軸と、上記搬送ローラからの用紙を搬送する搬送ベルトと、上記搬送ベルトによる用紙の搬送速度よりも速い速度で回転するローラと、アイドルローラと、回転用ストッパ軸と、用紙基準ガイドとを備え、上記搬送ローラと上記搬送ベルトにより搬送された用紙が上記アイドルローラに押しつけられて上記搬送ベルトと上記ローラに圧接し、上記搬送ベルトと上記ローラの速度差によって回転させられた後、回転しながら搬送される用紙の上端部が上記回転用ストッパ軸に当たると、用紙はさらに回転しながら上記搬送ベルトにより搬送され、この搬送時に、回転する用紙の上端部が上記用紙基準ガイドにより規制されて、用紙が９０度回転した状態で搬送される用紙方向変換装置において、
上記搬送ローラの上下の駆動軸の片方に用紙に凹凸を形成させる凹凸円盤を装着し、もう片方の駆動軸に用紙が逃げないように保持するガイド円盤を装着したことを特徴とする用紙方向変換装置。
【発明の詳細な説明】
【技術分野】
【０００１】
本発明は、用紙方向変換装置、特に、複数枚重ねた用紙を回転させる時等に生じる用紙のズレを防止するズレ防止機構を備えた用紙方向変換装置に関する。
【背景技術】
【０００２】
例えば、印刷装置から排出された縦向きの用紙を横向きの用紙に変換して製本などの後処理装置に搬送する場合がある。この場合、印刷装置と後処理装置との間に用紙を搬送しながらその用紙の方向を変換する用紙方向変換装置が配置される。このような用紙方向変換装置として、用紙の搬送力を搬送面に設置されたベルトと用紙を押圧するボールから得、用紙の方向を変換する回転力を独立して回転できるようにした回転ローラとアイドルローラから得て方向変換を行うもの、あるいは搬送ローラ対と用紙の回転中心となるピボットを用いるものが知られている（例えば、特許文献１参照）。
【先行技術文献】
【特許文献】
【０００３】
【特許文献１】特開２００３−５４７８７号公報
【発明の概要】
【発明が解決しようとする課題】
【０００４】
上記のように、用紙を回転させることにより用紙の方向変換が行われているが、２枚重ねた用紙を回転させる時、回転時に上下の紙がずれて安定せず、２枚の用紙にズレが生じることがあった。また、紙折り機に２枚重ねた用紙を挿入するとき、搬送ベルト上で数ミリのズレが生じ、折り精度が悪くなる、という問題もあった。
【０００５】
このように、用紙を重ねて搬送ベルトなどで搬送すると上下が微妙にずれてしまい、後処理機で悪影響が発生するので、結局ずれた紙をもう一度揃えて後処理装置に送り込む装置を作るか、あるいは、予め糊などで綴じてずれないようにする必要があった。
【０００６】
本発明は、上記の問題に鑑みてなされたもので、簡易的な方法で複数枚の重なった用紙のズレを防止することができるズレ防止機構を備えた用紙方向変換装置を提供することを目的とする。
【課題を解決するための手段】
【０００７】
請求項１に係る発明の用紙方向変換装置は、搬送ローラを備えた上下の駆動軸と、上記搬送ローラからの用紙を搬送する搬送ベルトと、上記搬送ベルトによる用紙の搬送速度よりも速い速度で回転するローラと、アイドルローラと、回転用ストッパ軸と、用紙基準ガイドとを備え、上記搬送ローラと上記搬送ベルトにより搬送された用紙が上記アイドルローラに押しつけられて上記搬送ベルトと上記ローラに圧接し、上記搬送ベルトと上記ローラの速度差によって回転させられた後、回転しながら搬送される用紙の上端部が上記回転用ストッパ軸に当たると、用紙はさらに回転しながら上記搬送ベルトにより搬送され、この搬送時に、回転する用紙の上端部が上記用紙基準ガイドにより規制されて、用紙が９０度回転した状態で搬送される用紙方向変換装置において、上記搬送ローラの上下の駆動軸の片方に用紙に凹凸を形成させる凹凸円盤を装着し、もう片方の駆動軸に用紙が逃げないように保持するガイド円盤を装着したことを特徴とする。
【発明の効果】
【０００８】
請求項１に係る発明の用紙方向変換装置によれば、搬送ローラの上下の駆動軸が回転すると複数枚の重なり合った紙に凹凸円盤によって重なったまま凹凸が形成されることにより、重なり合った複数枚の用紙が凹凸痕によって簡易的に張り合わされるので、その後の搬送や回転などの処理時に複数枚の用紙がずれないようにすることができる。
【図面の簡単な説明】
【０００９】
【図１】本発明の用紙方向変換装置を示す図である。
【図２】図１の用紙方向変換装置の一部の側面図である。
【実施例】
【００１０】
以下、本発明の用紙方向変換装置の実施例について説明する。
図１は本発明の用紙方向変換装置の上面図であり、図２は図１の用紙方向変換装置の一部の側面図である。
図１、２において、１ａ〜１１ａ及び１ｂ〜１１ｂ（一部図示せず）は搬送ローラ、１２はミシン刃を備えた円盤、１３は下刃を構成する円盤、１４ａ〜１６ａ及び１４ｂ〜１６ｂは駆動軸である。また、１７はガイド板、１８、１９は用紙の搬送ベルト、２０はローラ、２１、２２はアイドルローラ、２３は回転用ストッパ軸、２４は用紙基準ガイドである。
【００１１】
搬送ローラ１ａ〜４ａが駆動軸１４ａに、搬送ローラ１ｂ〜４ｂが下側の駆動軸１４ｂに取り付けられており、駆動軸１４ａ、１４ｂが回転すると、搬送ローラ１ａ〜４ａと搬送ローラ１ｂ〜４ｂにより用紙方向変換装置に供給される用紙が搬送される。また、搬送ローラ５ａ〜７ａ及びミシン刃を備えた円盤１２が駆動軸１５ａに取り付けられ、搬送ローラ５ｂ〜７ｂ及び下刃を構成する円盤１３が下側の駆動軸１５ｂに取り付けられている。下刃を構成する円盤１３にはミシン刃を備えた円盤１２のミシン刃に対応する位置に溝が設けられている。このミシン刃を備えた円盤１２が本発明の用紙のズレ防止機構の凹凸円盤を構成し、下刃を構成する円盤１７がガイド円盤を構成する。
【００１２】
そして、駆動軸１５ａ、１５ｂが回転すると、搬送ローラ５ａ〜７ａと搬送ローラ５ｂ〜７ｂにより用紙が搬送されるとともに、ミシン刃を備えた円盤１２のミシン刃と下刃を構成する円盤１３の溝によって搬送される用紙にミシン跡が形成される。また、搬送ローラ８ａ〜１１ａが駆動軸１６ａに、搬送ローラ８ｂ〜１１ｂが下側の駆動軸１６ｂに取り付けられており、駆動軸１６ａ、１６ｂが回転すると、搬送ローラ８ａ〜１１ａと搬送ローラ８ｂ〜１１ｂにより用紙がガイド板１７上に搬送される。
【００１３】
一方、搬送ベルト１８はガイド板１７上を図示矢印ａ方向に移動して用紙を下手側に搬送し、搬送ベルト１９はガイド板１７上を図示矢印ｂ方向に移動して用紙を下手側に搬送する。また、ローラ２０はガイド板１７に設けられた孔部（図示せず）から上部に突出しており、搬送ベルト１８による用紙の搬送速度よりも早い速度で図示矢印ｃ方向に回転し、このローラ２０とアイドルローラ２２により搬送ベルト１８で搬送される用紙が回転させられる。
【００１４】
さらに、回転用ストッパ軸２３は、ローラ２０とアイドルローラ２１により回転させられた用紙をさらに回転させるものであり、搬送ベルト１９が回転用ストッパ軸２３を中心として回転する用紙を下手側に搬送する。また、用紙基準ガイド２４は回転する用紙の上端部の位置を規制することにより、用紙を９０度回転した状態で次工程の折り機等に搬送させる。
【００１５】
次に、上記の用紙方向変換装置で２枚重なった用紙の方向変換を行う場合の作用について説明する。
駆動軸１４ａ〜１６ａ、１４ｂ〜１６ｂが回転している状態で２枚重なった用紙２５が用紙方向変換装置に供給されると、用紙２５は搬送ローラ１ａ〜１１ａ、搬送ローラ１ｂ〜１１ｂによりガイド板１７上の図示矢印ｄ方向に搬送される。この際、回転している円盤１２のミシン刃と下刃を構成する円盤１３の溝により用紙２５の側端部にミシン跡２６が形成され、このミシン跡２６によって２枚重なった用紙が簡易的に張り合わされるので、その後の回転時に２枚の用紙がずれることなく回転させることができる。
【００１６】
そして、ガイド板１７上に搬送された２枚重なった用紙２５の上端部がアイドルローラ２１、２２の位置まで搬送されると、用紙２５はアイドルローラ２１、２２に押しつけられて搬送ベルト１８とローラ２０に圧接し、搬送ベルト１８とローラ２０の速度差によって、図の矢印ｅで示すように用紙２５が回転させられる。
【００１７】
この後、回転しながら搬送される用紙２５の上端部が回転用ストッパ２３に当たると、用紙２５は図の矢印ｆで示すように、さらに回転しながら搬送ベルト１９により搬送される。この搬送時に、回転する用紙２５の上端部が用紙基準ガイ２４により規制されるので、用紙２５は９０度回転した状態で図示矢印ｇ方向に搬送され、次工程の折り機等に供給される。
なお、折り工程等の後、用紙の上下及び側部の端部が断裁されてから製本工程等が実施されるので、用紙２５のミシン跡２６の部分は製本された用紙からは除去される。
【００１８】
以上のように、２枚の重なり合った用紙にミシン刃と下刃の溝によってミシン跡が形成されることにより、重なった用紙が簡易的に張り合わされるので、その後の搬送や回転などの処理時に２枚の用紙がずれることを防止することができる。
【００１９】
なお、上記の実施例では、２枚の重なった用紙を回転させる例について説明したが、本発明の用紙のズレ防止機構は３枚以上の用紙の回転時にも使用することができる。
【符号の説明】
【００２０】
１ａ〜１１ａ、１ｂ〜１１ｂ  搬送ローラ
１２  ミシン刃を備えた円盤
１３  下刃を構成する円盤
１４ａ〜１６ａ、１４ｂ〜１６ｂ  駆動軸
１７  ガイド板
１８、１９  搬送ベルト
２０  ローラ
２１、２２  アイドルローラ
２３  回転用ストッパ軸
２４  用紙基準ガイド
【図１】
0005455510.tif 000002
【図２】
0005455510.tif 000003